(57)【要約】【課題】特別な装置を必要とせず、テラヘルツ波を利用して効率的に各種生体（人体、土壌中、水中の微生物など）を活性化して副作用なく効率的に効果を得ることができるものとする。【解決手段】土壌に撒布して用いるものとしては、テラヘルツ波を発生する天然鉱物を含む鉱物類を粉砕、混合して、成型、焼成することによって得られた、径１〜１０ｍｍで茶色のビーズ、人体の病気回復、健康増進のために肌に押し当てて用いるものとしては、粉体混合物に炭などを加えて、成型、焼成することによって得られた、径１〜１０ｍｍで黒色のビーズ、水に浸漬して浄化するものとしては、粉体混合物に、炭酸カルシウムなどの白色鉱石の粉を加えて成型、焼成することによって得られた、径１〜１０ｍｍで白色のビーズとする。【選択図】図１
2018123183.tif 000002
【特許請求の範囲】
【請求項１】
土壌に撒布して用いるものであって、テラヘルツ波を発生する天然鉱物を含む鉱物類を粉砕、混合して、成型、焼成することによって得られた、径１〜１０ｍｍで茶色であることを特徴とする生体活性化用ビーズ。
【請求項２】
人体の病気回復、健康増進のために肌に押し当てて用いるものであって、テラヘルツ波を発生する天然鉱物を含む鉱物類を粉砕、この粉体混合物に炭などを加えて、成型、焼成することによって得られた、径１〜１０ｍｍで黒色であることを特徴とする生体活性化用ビーズ。
【請求項３】
水に浸漬して浄化するのに用いるものであって、テラヘルツ波を発生する天然鉱物を含む鉱物類を粉砕、この粉体混合物に、炭酸カルシウムなどの白色鉱石の粉を加えて成型、焼成することによって得られた、径１〜１０ｍｍで白色であることを特徴とする生体活性化用ビーズ。
【発明の詳細な説明】
【技術分野】
【０００１】
本発明は、テラヘルツ波を有効利用して各種生体を活性化するものであって、具体的には、人体に対しては病気を回復すること、健康を増進すること、土壌中の微生物に対しては、その機能を促進して作物の高収穫などにむすびつけること、また、水中の微生物に対しては、その機能を促進して水浄化にむすびつけるために用いるビーズに関するものである。
【背景技術】
【０００２】
テラヘルツ領域波（以下ではテラヘルツ波と呼ぶ）は、周波数が０．１〜１０ＴＨｚ、波長で言えば３〜３００ミクロンの領域の電磁波で、電波と、光の一種である赤外線の中間の領域にあり、光と電波の性質を併せもっている。このテラヘルツ波がエネルギーを発生している例として、氷に作用してその溶解を促進することが知られている。また特許文献１には、テラヘルツ波の検出方法が示されている。特許文献２は、それを利用した温風加熱卵の製造方法、特許文献３にはカーボナイ構造体の成長方法、特許文献４には細菌などの殺菌方法が示されている。また、病気治療に特別の効果のある温泉、あるいは各種の名水などがいくつか知られており、その詳細な機構は未解明であるが、そのいくつかは自然でのテラヘルツ領域波の効果であると推定されている。
【０００３】
テラヘルツ波の発生法としては、ジャオロトロン、後進波管、遠赤外線レーザー、量子カスケードレーザー、自由電子レーザー、シンクロトロン放射、フォトミキシングソースなどを利用するいくつかの方法が知られているが、これらは高価な装置を必要とするので用途が限られる。それに対して、本発明者と同一の発明者らは、特許文献５で、テラヘルツ領域波を発生するパウダーを、アニオン性界面活性剤を加えた液に混合したものを土壌に散布することによる塩害地での作物栽培促進方法、また、特許文献６にはテラヘルツ領域波を発生する鉱物を含む粉状物をビーズ状のように成型したものを用いる健康回復法を示している。
【先行技術文献】
【特許文献】
【０００４】
【特許文献１】特開２００６−１２５６７０号公報
【特許文献２】特開２０１０−９９０２０号公報
【特許文献３】特開２００８−８７０８７号公報
【特許文献４】特開２００５−３０５０６０号公報
【特許文献５】特願２０１１−２７３９４２号
【特許文献６】特願２０１１−２６７００５号
【発明の概要】
【発明が解決しようとする課題】
【０００５】
本発明は、特殊な装置を必要とせずにテラヘルツ波を発生し、副作用なく効率的に、人体の病気回復、健康増進にむすびつけられるもの、また、土壌に散布することによって土壌中の微生物や作物自体に作用させることによって、作物の収穫増大に結びつけられるもの、さらに水中に浸すことによって水の浄化に結びつけられるものに関する。
【課題を解決するための手段】
【０００６】
本発明の課題を解決するための具体的手段の第１は、土壌に撒布して用いるものであって、テラヘルツ波を発生する天然鉱物を含む鉱物などの鉱物類を粉砕、混合して、成型、焼成することによって得られる、径１〜１０ｍｍで茶色であることを特徴とする作物の収穫増大のための生体活性化用ビーズである。
【０００７】
本発明の課題を解決するための具体的手段の第２は、人体の病気回復、健康増進のために肌に押し当てて用いるものであって、０００６の鉱物類の粉体混合物に、炭素分を加えて、成型、焼成することによって得られる、径１〜１０ｍｍで黒色であることを特徴とする生体活性化用ビーズである。
【０００８】
本発明の課題を解決するための具体的手段の第３は、水に浸漬して浄化するのに用いるものであって、０００６の粉体混合物に、カルシウム分を含む白色鉱石の粉を加えて成型、焼成することによって得られる、径１〜１０ｍｍで白色であることを特徴とする生体活性化用ビーズである。
【発明の効果】
【０００９】
０００６のものを栽培用土壌に撒布することによって土壌中の菌類の活性化などを介して、化学肥料使用時のような副作用を生じることなく作物の収穫量を増やすことができる。０００７のものを人体の肌に押しつけることによって、人体の機能を活性することによって、ガンなどの悪性疾患の撲滅から健康維持まで、副作用なく各種の効果を得ることができる。また、０００８のものを浄水器などに浸すことによって、活性化され、かつ美味の飲料水を得ることができる。
【図面の簡単な説明】
【００１０】
【図１】本発明の人体用のビーズを用いる時の１形態であって、人体の各所の肌に効率的に押しあてるために、ネットに収納した状態を示す図である。
【発明を実施するための形態】
【００１１】
人体の健康を保ち、たとえ癌などに冒されてもそれを克服するための基本的に方策の一つは人体の正常細胞を活性化することである。また、作物を栽培しその収獲量を高位に保つための基本的な方策の１つは、土壌中の各種微生物の働きを活性することである。また、人間にとって不可欠な水を清浄で人体に適したものにするための基本的な方策の１つは、水中の微生物の働きを活性化することである。すなわち、いずれの場合にも、正常な生体を活性化して、その働きを強めることである。それに対して、これまでの対応策の多くは、人体の病気に対しては、病気のもとになっているものを撲滅するという考え方であって、場合によっては、それが人体にも副作用を生じる。また、作物の栽培促進のためには、作物に直接作用する化学肥料などを施与することでありが、それを繰り返すと、土壌に悪影響が残ることがある。また、水の浄化に関しても、同じく化学薬品などを加えることによって、これと同じ悪影響を残すことがある。
本発明は、長期的視点からみれば正しくないと思われる従来の諸方策に対して、基本に戻って、各種生体自体の働きを活性することによって、人体の健康維持、病気の克服、作物栽培におけて高位の収獲量を確保、また水について本質的浄化を行うためのものを提供しようとするものである。
【００１２】
テラヘルツ波は、波長域が３〜３００ミクロンであり、生体の波長域、１０ミクロン前後とほぼ重なっている。本発明はこの現象に着目して、各種生体、すなわち、人体、土壌中の微生物、水中の微生物の効果的にテラヘルツ波をあてて、副作用なく、効率的に、００１０で述べたような効果を得るためのものである。本発明では、テラヘルツの発生法としては、ジャオロトロン、後進波管、遠赤外線レーザー、量子カスケードレーザー、自由電子レーザー、シンクロトロン放射、フォトミキシングソースなどに依存せず、天然鉱物を利用する。テラヘルツ領域波を発生する鉱物としては、原子番号が５７以上の元素が１種あるいはそれ以上含まれていることが望ましい。とくに好ましくは、ランタノイド系元素、アクチノイド系元素が含まれていることであるが、これらの元素を２種以混在させると各元素から発生する電磁波が相互作用することによって、効率的にテラヘルツ領域波を発生させることができるのでより一層好ましい。これらの条件を満足する天然鉱物として、たとえば天照石、モナザイトなどがある。
【００１３】
まず、土壌に撒布して用いるものであるが、土壌中の微生物を活性化するために、００１１で示したテラヘルツ波を発生する鉱石に、ゼオライト類のようなシリコン、アルミなどの酸化物や鉄分を加えて粉砕、混合して成型、焼成してビーズ状にする。
ゼオライト類などのシリコン、アルミなどの酸化物を含む鉱石は土壌中の有害物などを吸着して微生物が働きやすい場を作るのに役立つ。また鉄分は土壌の酸化度を調整して同じく微生物が働きやすい場を作るのに役立つ。このようにして得られたビーズは茶色である。このビーズは以下の理由により直径１〜１０ｍｍの範囲とすることが必要である。すなわち、ある量のビーズを土壌に散布した時に、それによって得られる微生物の活性化効果は、この粒度範囲で高位に保つことが可能になる。粉状あるいは直径１ｍｍ未満の場合には、土壌との混合が不十分な場合には土壌との接触面積比が小さくなり、一方、土壌との混合を十分に行った場合には、局所的なテラヘルツ波の発生強度が小さくなって、いずれの場合にも、微生物の活性化を通して得られる作物の栽培促進が低くなる。また、直径が１０ｍｍ超のビーズにしたときには、ビーズと、微生物を含む土壌の接触面積比が小さくなり、同じく微生物の活性化を通して得られる作物の栽培促進が低くなるから好ましくない。焼成温度は５００〜７００℃が適正である。通常の焼成雰囲気では、得られたビーズは茶色である。
【００１４】
次に、人体に対して用いられるビーズであるが、００１１で示したテラヘルツ波を発生する鉱石に、ゼオライト類のようなシリコン、アルミなどの酸化物を含む鉱石類や鉄分を加えることは００１２で述べたことと同じであるが、この場合にはさらに、炭などの黒体物を加えることによって、成型・焼成後に得られるビーズを黒色にすることが必要である。これは、ビーズ内でのテラヘルツ波を共振させることによって、人体への照射効果を大きくするためである。また、得られたビーズのサイズは、直径１〜１０ｍｍの範囲とすることが必要である。その理由は、このビーズを人体の特に対象とする部位に効率的に作用させるためには、図１に示すようにネット状のものに納めて人体の対象とする場所に押しあてて用いるが、ビーズの直径が１０ｍｍ超であると、人体への接触効果が小さくなる。人体への活性化効果は、とくに温度を体温より高く、かつ４３℃以下にすることによって高められる。特にがんを対象とする場合には、がん細胞は高温に弱いことから、正常生体の活性化を通しての対がん効果を大きくすることができる。このように温度を上げるための方法としては、湯の中、砂風呂の中、あるいはサウナの中などで用いられるが、ネットに入れたビーズが１ｍｍ未満であると、湯や汗によって固体分がネットの外に流出する量が増えるので好ましくない。
【００１５】
水の浄化に用いるビーズの場合は、００１１で示したテラヘルツ波を発生する鉱石に、ゼオライト類のようなシリコン、アルミなどの酸化物を含む鉱石類や鉄分を加えることは、００１２で述べたことと同じであるが、この場合には、とくにこの処理を経たものが人体に入ることから、清潔度をアッピールすること、また飲料水に適した微アルカリ性にするためにカルシウム分を含む白色鉱石の粉を加えることによって、成型・焼成後のビーズを白色にする。また、得られたビーズのサイズは、は直径１〜１０ｍｍの範囲とすることが必要である。その理由は、ビーズの直径が１０ｍｍ超であると、水との接触面積が低下して好ましくなく、一方、１ｍｍ以下では、水に混入するおそれがあるからである。
【実施例１】
【００１６】
天照石重量１に対して、ゼオライト鉱石を３の割合で加えて微粉に粉砕し、澱粉質の粘結剤を加えて、２〜５ｍｍの粒状物を成型して６５０℃で焼成した茶色のビーズを、１ｈｒに２０ｋｇ撒布して、麦の栽培を行った。収穫量は、比較地より２５％多かった。
【実施例２】
【００１７】
天照石重量１に対して、ゼオライト鉱石を３、鉄粉を１、竹炭粉を１の割合で混合、粉砕したものに澱粉質の粘結剤を加えて、２〜５ｍｍの粒状物を成型して６５０℃で焼成した黒色のビーズを作った。白血病を患い、１月に余命３カ月を入院先の病院の医師に宣告された９３歳の女性が、患者が坑がん剤や放射線療法をすべてやめ、自宅で、この黒色ビーズ（直径２〜５ｍｍ）１５００ｇとサンゴセラミックボール１５０ｇをブラジャー洗濯ネットに入れ肌に押し付け、４２℃の風呂で２〜３分入ることを１日１回行うことによって、３月になると起きあがれるようになり、７月には畑に草刈りに行くようになった。
【実施例３】
【００１８】
胃ガンを患い末期症状であることを医師に宣告された６２歳の男性に対して、００１７で示した黒色ビーズ（直径２〜５ｍｍ）１５００ｇブラジャー洗濯ネットに入れたものを浴衣の上から腹部に押し当てた状態で、４６℃に加熱された砂風呂に首から上以外を埋めて、７分間保持することを、１日、１回の割合で行った。徐々に元気を回復し、２５日後には通常の生活ができるようになった。
【実施例４】
【００１９】
天照石重量１に対して、ゼオライト鉱石を３、ドロマイトの割合で加えて微粉に粉砕し、澱粉質の粘結剤を加えて、２〜５ｍｍの粒状物を成型して６５０℃で焼成した白色のビーズをネットに入れて、水道口に水の浄化に用いた。
【産業上の利用可能性】
【００２０】
本発明は、人体の健康回復、維持、農作物などの栽培促進、水浄化以外にも、生体（人間、動物、植物、微生物、細菌類など）の選択的機能促進を通して各種の効果を発揮させることができる。
【符号の説明】
【００２１】
１  ネット内部の生体活性化用ビーズ
２  ネット表面
３  ネットの口
【図１】
2018123183.tif 000003